Podtech/llm-jp-corpus-v4-ja_patent huggingface dataset:
【手続補正書】
【提出日】平成28年5月18日(2016.5.18)
【手続補正１】
【補正対象書類名】明細書
【補正対象項目名】００３８
【補正方法】変更
【補正の内容】
【００３８】
ばねケース５２は、スプリング５１を収容するため、ばねケース５３側が開口した収容凹部５２ｃを有している。ばねケース５２の壁部４１側には、軸部材５４の端部５４ｂを通すため孔部５２ｂが形成されている。収容凹部５２ｃの内側面からは、スプリング５１の外側折り返し片５１ｂを係止するための係止用凸片５２ｈが外側方向Ｄ１１に向かって延出している。ばねケース５２の側壁部５２ｅは、ばねケース５３で被われる。ばねケース５３は、ばねケース５２に嵌合して、ばねケース５２の開口を塞ぐ。ばねケース５２，５３には、合成樹脂の射出成形品といった成形品等を用いることができる。軸部材５４の端部５４ｂは、軸心ＡＸ１の外側方向Ｄ１１に向かってばねケース５２の孔部５２ｂに挿入され、軸心ＡＸ１を中心とする回転方向の付勢力をスプリング５１から受ける。軸部材５４の嵌合部５４ａを巻取軸３１の一端３１ａの孔に圧入すると、軸部材５４と巻取軸３１とが相対移動不能に固定される。
【手続補正２】
【補正対象書類名】明細書
【補正対象項目名】００５４
【補正方法】変更
【補正の内容】
【００５４】
なお、図１０（ｃ）に例示するように、キャップ６０の内周面６１ａのうち軸部材の端部３６の外周面３６ａに合わせられる部分を外側方向Ｄ１１側に配置し、外周面３６ａとの間に隙間が形成される部分６１ｃを内側方向Ｄ１２側に配置してもよい。すると、壁部４２の穴４３に対して壁部４２の内側からキャップ６０を挿入した後にキャップ６０の第二の穴６２に軸部材の端部３６を挿入するとき、軸心ＡＸ１からずれた向きの軸部材の端部３６を第二の穴６２に挿入することができる。従って、この場合も、遮蔽装置の組み付け作業性を向上させることが可能になり、組み付け作業性の良い遮蔽装置を提供することができる。
【誤訳訂正書】
【提出日】平成28年5月17日(2016.5.17)
【誤訳訂正１】
【訂正対象書類名】特許請求の範囲
【訂正対象項目名】全文
【訂正方法】変更
【訂正の内容】
【特許請求の範囲】
【請求項１】
調製部を備えるタイプの飲料調製マシンの作動方法であって、
飲料調製マシンは、水を収容するリザーバ、使用の際に１つ以上の飲料成分を含んでいるカートリッジを受けるための供給ヘッド、前記リザーバから、水を前記供給ヘッドに汲み上げるためのポンプ、前記リザーバに収容されている水を熱するための第１のヒーター、リザーバと供給ヘッドの間の第２のヒーター、前記第１のヒーターおよび第２のヒーターの通電をコントロールするためのコントローラを備え、
前記コントローラは、第２のヒーターの通電と同時の前記第１のヒーターの通電を防止するように作動し、
前記飲料調製マシンは、前記調製部からの排出サイクルの間に飲料を排出するために作動され、前記コントローラは、前記排出サイクルの一部においては、前記ポンプが作動していない時に、第１のヒーターに通電するように作用する、方法。
【請求項２】
前記排出サイクルは、水が前記供給ヘッドに汲み上げられない１つ以上の一時停止を含み、前記コントローラは、前記１つ以上の一時停止の間に、前記第１のヒーターに通電するように作用する請求項１の方法。
【請求項３】
前記１つ以上の一時停止は、ポッドまたはカートリッジの１つ以上の飲料成分を浸すためにある請求項２の方法。
【請求項４】
一つの排出サイクルの間に前記第１のおよび第２のヒーターが交互に通電される、請求項１ない
し３のいずれかの方法。
【請求項５】
一つの排出サイクルの間に、前記第２のヒーターは、常時通電され、前記第１のヒーターは、常時通電されない、請求項１ないし３のいずれかの方法。
【請求項６】
摂氏７０度から摂氏９５度までの温度に前記リザーバの水を熱することをさらに含む、請求項１ないし５のいずれかの方法。
【請求項７】
約摂氏８５度の温度に前記リザーバの水を熱することを含む、請求項６の方法。
【請求項８】
前記第２のヒーターによって前記供給ヘッドに汲み上げられた水の温度を摂氏０度と摂氏３０度との間にわたって上昇させることをさらに含む、請求項１ないし７のいずれかの方法。
【請求項９】
前記供給ヘッドに達した前記水の温度が摂氏８５度と摂氏９４度の間となるように、前記第２のヒーターによって前記供給ヘッドに汲み上げられた水の温度を上昇させる、請求項８の方法。
【請求項１０】
前記調製部から飲料の排出の後に、前記供給ヘッドを通して蒸気を通過させることをさらに含む、請求項１ないし９のいずれかの方法。
【請求項１１】
前記蒸気は、前記第２のヒーターにより生成される、請求項１０の方法。
【請求項１２】
調製部を備える飲料調製マシンであって、
前記調製部は、水のためのリザーバと、
使用の際に１つ以上の飲料成分を含んでいるカートリッジを受けるための供給ヘッドと、
前記リザーバから水を前記供給ヘッドに汲み上げるためのポンプと、
前記リザーバに収容されている水を熱するための第１のヒーターと、
前記リザーバと前記供給ヘッドの間の第２のヒーターと、
前記第１のヒーターおよび第２のヒーターの通電をコントロールするためのコントローラと、を備え、
前記コントローラは、前記第１のヒーターの通電が前記第２のヒーターの通電と同時に発生するのを防止するように作動可能であり、
前記コントローラは、一つの排出サイクルにおいて前記ポンプを作動させた後に、当該排出サイクルにおいて第２のヒーターに通電するように作動する、
飲料調製マシン。
【請求項１３】
前記コントローラは、前記ポンプによって水を汲み上げるときに前記第１のヒーターの通電を防止するように作動可能な請求項１２に記載の飲料調製マシン。
【請求項１４】
前記第１のヒーターは、前記リザーバに配置される、請求項１２または１３の飲料調製マシン。
【請求項１５】
前記第１のヒーターは、電力加熱ソースを備える請求項１２ないし１４のいずれかの飲料調製マシン。
【請求項１６】
前記第２のヒーターは、前記リザーバから前記供給ヘッドに延在している流路に配置される、請求項１２ないし１５のいずれかの飲料調製マシン。
【請求項１７】
前記第２のヒーターは、瞬間加熱ヒーターを備える請求項１２ないし１６のいずれかの飲料調製マシン。
【請求項１８】
前記コントローラは、一つの排出サイクルにおいて前記ポンプを作動させた後に、当該排出サイクルの一部において第２のヒーターに通電するように作用する請求項１の方法。
【誤訳訂正２】
【訂正対象書類名】明細書
【訂正対象項目名】００１６
【訂正方法】変更
【訂正の内容】
【００１６】
さらに好ましくは、リザーバの水は摂氏約８５度の温度に熱せられる。好適には、供給ヘッドに汲み上げられた水の温度は、第２のヒーターによって摂氏０度から摂氏３０度にわたり上昇される。
【誤訳訂正３】
【訂正対象書類名】明細書
【訂正対象項目名】００４１
【訂正方法】変更
【訂正の内容】
【００４１】
好適には、本方法は、第１および／または第２の調製部の供給ヘッドに汲み上げられた水の温度を第２のヒーターを用いて、摂氏０度から摂氏３０度までの間にわたり上昇させることをさらに含む。
例えば、第１および／または第２の調製部の供給ヘッドに汲み上げられた水の温度は、供給ヘッドに達した水の温度が摂氏８５度から摂氏９４度までの間であるように第２のヒーターによって押し上げられる。
リザーバの実際の水温度および飲料の目標排出温度に依存して、水の温度は、第２のヒーターによって上昇させることが必要であってもなくてもよい。その時温度の上昇が必要ではない場合には、水は、スイッチが切られた第２のヒーターとともにヒーターを単に通過する。温度上昇が必要な場合には、第２のヒーターはスイッチオンされる。
【手続補正書】
【提出日】平成28年5月26日(2016.5.26)
【手続補正１】
【補正対象書類名】特許請求の範囲
【補正対象項目名】全文
【補正方法】変更
【補正の内容】
【特許請求の範囲】
【請求項１】
電極触媒層支持シートに付着している触媒残留物を前記電極触媒層支持シートから剥離するための触媒剥離装置であって、
前記電極触媒層支持シートの少なくとも前記触媒残留物が付着したシート面の全体に水を付与する加湿機構部と、
前記水が付与されたシート面に刃先を押し当てて前記触媒残留物を前記電極触媒層支持シートから剥離させるスクレーパーを含む剥離機構部と、
剥離によって落下した前記触媒残留物を受け止める回収トレイと、
を備える、触媒剥離装置。
【請求項２】
請求項１に記載の触媒剥離装置であって、
前記回収トレイには水が貯められている、触媒剥離装置。
【請求項３】
請求項２に記載の触媒剥離装置であって、
前記加湿機構部は、前記回収トレイの前記水を吸収しつつ回転する加湿ローラーを有し、前記触媒残留物が付着した前記シート面に前記加湿ローラーが接触した際に、前記触媒残留物が付着した前記シート面の全体に前記水を付与する、触媒剥離装置。
【請求項４】
請求項２に記載の触媒剥離装置であって、
前記加湿機構部は、前記回収トレイの前記水の中に前記触媒残留物が付着した前記電極触媒層支持シートを引き込む引込みローラーを有し、前記触媒残留物が付着した前記電極触媒層支持シートが前記水の中を通過することにより、前記触媒残留物が付着した前記シート面の全体に前記水を付与する、触媒剥離装置。
【請求項５】
電極触媒層支持シートに付着している触媒残留物を前記電極触媒層支持シートから剥離するための触媒剥離方法であって、
前記電極触媒層支持シートの少なくとも前記触媒残留物が付着したシート面の全体に水を付与する工程と、
前記水が付与されたシート面にスクレーパーの刃先を押し当てて前記触媒残留物を前記電極触媒層支持シートから剥離させる工程と、
を備える、触媒剥離方法。
【請求項６】
請求項５に記載の触媒剥離方法であって、
前記電極触媒層支持シートに付着している前記触媒残留物は、電解質膜に前記電極触媒層が接合された膜電極接合体を作製する過程において、前記電極触媒層が形成された前記電極触媒層支持シートから前記電極触媒層を前記電解質膜に転写して前記電極触媒層支持シートを剥がした際に、前記電解質膜に転写されずに前記電極触媒層支持シートに残った前記電極触媒層の一部である、触媒剥離方法。
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
持点による遊技が可能であり、遊技者所有の遊技用価値を用いて持点を加算する遊技用装置と通信する通信部と、表示状態が変化可能な可変表示装置とを備え、１ゲームに対して賭数を設定することによりゲームが開始可能となるとともに、可変表示装置の表示結果が導出表示されることにより１ゲームが終了し、導出表示された表示結果が予め定められた特定の表示結果となったときに入賞が発生可能となり、入賞の発生に応じて持点が加算されるスロットマシンであって、
遊技への使用および入賞の発生に応じた持点の変化量を特定する特定手段と、
持点を記憶する持点記憶手段と、
前記持点記憶手段が記憶している持点を前記変化量に応じて更新する持点更新手段と、
前記変化量を特定可能な更新情報と前記持点記憶手段に記憶されている持点とを前記通信部から前記遊技用装置へ送信する制御を行なう情報送信制御手段と、
遊技者所有の記録媒体から遊技を行なう遊技者を特定可能な遊技者特定情報を読取る読取手段と、
前記読取手段により読取られた前記遊技者特定情報を記憶する遊技者特定情報記憶手段と、
前記遊技用装置との通信の開始の際に前記遊技者特定情報記憶手段に記憶されている遊技者特定情報を前記通信部から前記遊技用装置へ送信する制御を行なう遊技者特定情報送信制御手段とを備えた、スロットマシン。
【手続補正２】
【補正対象書類名】明細書
【補正対象項目名】０００６
【補正方法】変更
【補正の内容】
【０００６】
（１）  本発明は、持点による遊技が可能であり、遊技者所有の遊技用価値を用いて持点を加算する遊技用装置と通信する通信部（Ｓ台通信制御部８２）と、表示状態が変化可能な可変表示装置とを備え、１ゲームに対して賭数を設定することによりゲームが開始可能となるとともに、可変表示装置の表示結果が導出表示されることにより１ゲームが終了し、導出表示された表示結果が予め定められた特定の表示結果となったときに入賞が発生可能となり、入賞の発生に応じて持点が加算されるスロットマシン（スロットマシン２Ｓ）であって、
遊技への使用および入賞の発生に応じた持点の変化量を特定する特定手段（スロットマシン制御用のマイクロコンピュータ、加算数カウンタ、減算数カウンタ）と、
持点を記憶する持点記憶手段（持点数カウンタ）と、
前記持点記憶手段が記憶している持点を前記変化量に応じて更新する持点更新手段（払出制御部１１７）と、
前記変化量を特定可能な更新情報と前記持点記憶手段に記憶されている持点とを前記通信部から前記遊技用装置へ送信する制御を行なう情報送信制御手段（図４０；加算玉数、減算玉数、遊技玉数を含む動作応答を送信）と、
遊技者所有の記録媒体から遊技を行なう遊技者を特定可能な遊技者特定情報を読取る読取手段と、
前記読取手段により読取られた前記遊技者特定情報を記憶する遊技者特定情報記憶手段（図９９；表示器用演出制御部２９２の現遊技者遊技履歴データ記憶部）と、
前記遊技用装置との通信の開始の際に前記遊技者特定情報記憶手段に記憶されている遊技者特定情報を前記通信部から前記遊技用装置へ送信する制御を行なう遊技者特定情報送信制御手段（図２３、図３３、図５８〜図７５；Ｃ-ＩＤを含むリカバリ応答を送信）とを備えた。
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
遊技場に設置され、上位機器と通信可能に接続されるとともに、内部に封入された遊技媒体を用いて遊技を行なう封入式の遊技機とも通信可能に接続された遊技機器であって、
互いに通信可能に接続された第１の制御手段と第２の制御手段とを含み、
前記第１の制御手段は、当該第１の制御手段を識別するための第１の識別情報と、認証相手である前記第２の制御手段を識別するための第２の識別情報とを記憶しており、
前記第２の制御手段は、前記第２の識別情報と、前記第１の識別情報とを記憶しており、
前記第１の制御手段と前記第２の制御手段とが相互に認証する認証処理を行ない、
前記認証処理は、
前記第２の制御手段において記憶している前記第２の識別情報を用いてチャレンジコードを生成して前記第１の制御手段に送信し、該第１の制御手段において、記憶している前記第２の識別情報を用いて、受信した前記チャレンジコードからレスポンスコードを生成して前記第２の制御手段へ返信し、前記第２の制御手段において、記憶している前記第２の識別情報を用いて受信したレスポンスコードの適否を判定する第１チャレンジレスポンス認証処理と、
前記第１の制御手段において記憶している前記第１の識別情報を用いてチャレンジコードを生成して前記第２の制御手段に送信し、該第２の制御手段において、記憶している前記第１の識別情報を用いて、受信した前記チャレンジコードからレスポンスコードを生成して前記第１の制御手段へ返信し、前記第１の制御手段において、記憶している前記第１の識別情報を用いて受信したレスポンスコードの適否を判定する第２チャレンジレスポンス認証処理とを含み、
前記第１の制御手段は、前記上位機器との認証を行なう上位認証処理手段を有し、
前記認証処理は、前記上位認証処理手段により前記上位機器との認証が完了したことを条件に行なわれ、
前記認証処理が完了して相互に認証された前記第１の制御手段と前記第２の制御手段との通信により、前記第１の制御手段が前記第２の制御手段に接続された前記遊技機の識別情報を前記上位機器に送信する送信処理が実行され、
送信した当該遊技機の識別情報が前記上位機器で認証されたことに基づいて前記遊技機での遊技を可能に制御する遊技可能処理手段と、
送信した当該遊技機の識別情報が前記上位機器で認証されなかったことに基づいて前記第１の制御手段と前記第２の制御手段との通信を停止する停止手段とをさらに含む、遊技機器。
【手続補正２】
【補正対象書類名】明細書
【補正対象項目名】０００７
【補正方法】変更
【補正の内容】
【０００７】
（１）  本発明は、遊技場に設置された遊技機器（パチンコ機２、スロットマシン２Ｓ、カードユニット３、カード発行装置、Ｚカウンタ、清算装置、ホール用管理装置、景品交換装置等）であって、
互いに通信可能に接続された第１の制御手段（メイン制御部３２３または主制御基板１６，１１６）と第２の制御手段（ＣＵ通信制御部８０または払出制御部１７，１１７）とを含み、
前記第１の制御手段は、当該第１の制御手段を識別するための第１の識別情報（メイン制御部のＳＩＤまたは主制御基板のＳＩＤ）と、認証相手である前記第２の制御手段を識別するための第２の識別情報（ＣＵ通信制御部のＳＩＤまたは払出制御部のＳＩＤ）とを記憶しており（図７；ＥＥＰＲＯＭ８０８）、
前記第２の制御手段は、前記第２の識別情報と、前記第１の識別情報とを記憶しており（図７；ＲＯＭ８０９、ＥＥＰＲＯＭ８１３）、
前記第１の制御手段と前記第２の制御手段とが相互に認証する認証処理を行ない（図３１、図３２の認証シーケンス）、
前記認証処理は、
前記第２の制御手段において記憶している前記第２の識別情報（図７のＲＯＭ８０９に記憶されているＣＵ通信制御部のＳＩＤ）を用いてチャレンジコード（図３２のチャレンジコードＡ）を生成して前記第１の制御手段に送信し（ＣＵ通信制御部シリアルＩＤ認証応答１）、該第１の制御手段において、記憶している前記第２の識別情報（ＥＥＰＲＯＭ８０８に記憶されているＣＵ通信制御部のＳＩＤ）を用いて、受信した前記チャレンジコードからレスポンスコード（図３２のレスポンスコードＡ）を生成して前記第２の制御手段へ返信し（ＣＵ通信制御部シリアルＩＤ認証要求２）、前記第２の制御手段において、記憶している前記第２の識別情報（ＲＯＭ８０９に記憶されているＣＵ通信制御部のＳＩＤ）を用いて受信したレスポンスコードの適否を判定する第１チャレンジレスポンス認証処理（ＣＵ通信制御部８０では、受信したレスポンスコードの適否をＣＵ通信制御部のＳＩＤを用いて判定する）と、
前記第１の制御手段において記憶している前記第１の識別情報（図７のＥＥＰＲＯＭ８０８に記憶されているメイン制御部のＳＩＤ）を用いてチャレンジコードを生成して前記第２の制御手段に送信し（図３１のチャレンジコード）、該第２の制御手段において、記憶している前記第１の識別情報（図７のＥＥＰＲＯＭ８１３に記憶されているメイン制御部のＳＩＤ）を用いて、受信した前記チャレンジコードからレスポンスコード（図３１のレスポンスコード）を生成して前記第１の制御手段へ返信（ＢＢシリアルＩＤ認証応答２）し、前記第１の制御手段において、記憶している前記第１の識別情報を用いて受信したレスポンスコードの適否を判定する第２チャレンジレスポンス認証処理（メイン制御部３２３では、受信したレスポンスコードの適否をメイン制御部のＳＩＤを用いて判定する）とを含み、
前記第１の制御手段は、前記上位機器との認証を行なう上位認証処理手段を有し、
前記認証処理は、前記上位認証処理手段により前記上位機器との認証が完了したことを条件に行なわれ、
前記認証処理が完了して相互に認証された前記第１の制御手段と前記第２の制御手段との通信により、前記第１の制御手段が前記第２の制御手段に接続された前記遊技機の識別情報を前記上位機器に送信する送信処理が実行され、
送信した当該遊技機の識別情報が前記上位機器で認証されたことに基づいて前記遊技機での遊技を可能に制御する遊技可能処理手段と、
送信した当該遊技機の識別情報が前記上位機器で認証されなかったことに基づいて前記第１の制御手段と前記第２の制御手段との通信を停止する停止手段とをさらに含む。
【手続補正書】
【提出日】平成28年4月7日(2016.4.7)
【手続補正１】
【補正対象書類名】特許請求の範囲
【補正対象項目名】請求項１０
【補正方法】変更
【補正の内容】
【請求項１０】
それぞれが可動電極と固定電極とから成ると共に、該可動電極と固定電極の周囲が絶縁筒で覆われ、閉、開、断路の３位置で動作する２対の開閉器部から成る主回路を有し、前記主回路が、内部が真空の金属容器内に配置されて成る真空開閉器と、可動電極と固定電極とから成り、該可動電極と固定電極の周囲が絶縁筒で覆われる開閉器部を有し、該開閉器部が真空容器内に配置されて成る真空接地開閉器と、前記真空開閉器及び前記真空接地開閉器における前記可動電極の前記固定電極との開閉操作を行う操作機構と、前記主回路に電力を供給する母線と、前記主回路からの電力を負荷側へ供給するケーブルと、前記金属容器、操作機構、母線及びケーブルを収納する筺体と、該筺体に固定され、前記主回路及び前記ケーブルと電気的に接続される主回路導体に一端が接続される電圧検出用コンデンサの他端に同軸配線を介して接続されて前記主回路の電圧を計測する電圧検出器とを備え、
前記電圧検出器は、請求項１乃至８のいずれか１項に記載の電圧検出器であることを特徴とするスイッチギヤ。
【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
ＣＰＵを駆動するための電源回路を備えた電源装置と、この電源装置から電源を供給され所定の動作を行うマイクロコンピュータを備えた自動車用の電子制御装置において、
前記電源装置は前記マイクロコンピュータを制御するためのスタンバイ信号及びリセット信号を出力する共に、前記電源回路の電圧出力が過電圧状態になるとこの状態を表す過電圧状態信号を生成し、前記マイクロコンピュータは前記過電圧状態信号を検出すると、自身がリセットされる前にリセットに対応した必要な処理を実行することを特徴とする自動車用の電子制御装置。
【請求項２】
請求項１に記載の自動車用の電子制御装置において、
前記電源装置は前記電源回路の電圧出力が第１の過電圧状態になるとカウントを開始する過電圧カウンタを備えており、前記カウンタがオーバーフローした際に前記過電圧状態信号が有効と判断され、これによって前記マイクロコンピュータは有効とされた前記過電圧状態信号を検出すると、自身がリセットされる前にリセットに対応した必要な処理を実行することを特徴とする自動車用の電子制御装置。
【請求項３】
請求項２に記載の自動車用の電子制御装置において、
前記電源装置は前記電源回路の電圧出力が前記第１の過電圧状態より高い第２の過電圧状態になると前記過電圧状態信号が有効と判断され、これによって前記マイクロコンピュータは有効とされた前記過電圧状態信号を検出すると、自身がリセットされる前にリセットに対応した必要な処理を実行することを特徴とする自動車用の電子制御装置。
【請求項４】
請求項１乃至請求項３のいずれか１項に記載の自動車用の電子制御装置において、
前記過電圧状態信号は過電圧フラグであり、前記電源装置は前記過電圧フラグを記憶するメモリを備えており、前記マイクロコンピュータは前記過電圧フラグが確定していることを条件に、自身がリセットされる前にリセットに対応した必要な処理を実行することを特徴とする自動車用の電子制御装置。
【請求項５】
請求項１乃至請求項４のいずれか１項に記載の自動車用の電子制御装置において、
前記マイクロコンピュータが実行する前記リセットに対応した必要な処理は、前記マイクロコンピュータのＲＡＭに格納された情報を別の不揮発性メモリに退避させる退避処理であることを特徴とする自動車用の電子制御装置。
【請求項６】
請求項１乃至請求項４のいずれか１項に記載の自動車用の電子制御装置において、
前記マイクロコンピュータが実行する前記リセットに対応した必要な処理は、前記自動車の制御機器の動作量を、現在の動作量からハードウェアフェイル状態の動作量に段階的或いは徐々に近づくように制御するソフトランディング制御処理であることを特徴とする自動車用の電子制御装置。
【請求項７】
請求項１乃至請求項５のいずれか１項に記載の自動車用の電子制御装置において、
前記過電圧状態信号が有効となると、前記電源装置は前記スタンバイ信号を立ち下げて前記マイクロコンピュータのリセットまでの時間の間にリセットに対応した必要な処理を実行させることを特徴とする自動車用の電子制御装置。
【請求項８】
請求項１乃至請求項６のいずれか１項に記載の自動車用の電子制御装置において、
前記マイクロコンピュータはリセット後の初期動作時にリセットの発生の事由として過電圧状態に陥ったというエラー情報を前記マイクロコンピュータのメモリのエラーコードエリアに書き出すことを特徴とする自動車用の電子制御装置。
【請求項９】
請求項１乃至請求項７のいずれか１項に記載の自動車用の電子制御装置において、
前記電源装置或いは前記マイクロコンピュータは前記リセットの回数が所定の回数を越えるとハードウェアフェイル状態へ移行させることを特徴とする自動車用の電子制御装置。
【請求項１０】
請求項９に記載の自動車用の電子制御装置において、
前記マイクロコンピュータはスリープモードに移行することによってハードウェアフェイル状態へ移行することを特徴とする自動車用の電子制御装置。
【手続補正書】
【提出日】平成28年8月22日(2016.8.22)
【手続補正１】
【補正対象書類名】特許請求の範囲
【補正対象項目名】全文
【補正方法】変更
【補正の内容】
【特許請求の範囲】
【請求項１】
上面に信号配線、および接地パターンを有する基板と、
前記基板の上面に設けられ、出力端子を備え、前記出力端子が前記信号配線に接続された半導体チップと、
前記基板とは別の絶縁体により形成され、前記基板上に設けられた部品と、を具備し、
前記部品は、前記信号配線との間に前記絶縁体を介して対向する第１パターン、前記接地パターンと接続される第２パターン、および前記第１パターンおよび前記第２パターンとの間を接続してなる第３パターンを有することを特徴とする半導体装置。
【請求項２】
前記第１パターンは前記部品の内部に設けられ、
前記第１パターンと前記第３パターンとを接続するビア配線を具備することを特徴とする請求項１記載の半導体装置。
【請求項３】
前記部品は、前記第２パターンと前記第３パターンとの間であって、前記部品の側面に、前記第３パターンより幅の大きい第４パターンを有することを特徴とする請求項１または２に記載の半導体装置。
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
電池と、
駆動対象負荷と、
前記電池に接続される主電力路と、
前記主電力路に接続され、前記主電力路と前記駆動対象負荷との間の通電経路となる第１通電路と、
前記第１通電路とは異なる通電経路として構成され、前記主電力路と前記駆動対象負荷との間の通電経路となる第２通電路と、
前記第２通電路に設けられ、前記主電力路側からの入力電圧を降圧して出力する降圧回路と、
前記第１通電路を通電状態と非通電状態とに切り替える第１スイッチと、
前記第２通電路を通電状態と非通電状態とに切り替える第２スイッチと、
前記電池の電圧を検出する電圧検出部と、
前記電圧検出部によって検出された前記電池の電圧が所定の閾値以上である場合に、前記第１スイッチを非導通状態に切り替え且つ前記第２スイッチを導通状態に切り替えることで、前記第２通電路を介して、前記降圧回路からの出力電圧に応じた駆動電流を前記駆動対象負荷に供給し、前記電圧検出部によって検出された前記電池の電圧が前記閾値未満となる所定の低電圧状態となった場合に、前記第１スイッチを導通状態に切り替え且つ前記第２スイッチを非導通状態に切り替えることで、前記第１通電路を介して、前記主電力路からの駆動電流を前記駆動対象負荷に供給する制御部と、
を有することを特徴とする加熱調理器。
【請求項２】
前記制御部は、前記第１スイッチを導通状態に切り替え且つ前記第２スイッチを非導通状態に切り替えた場合、その後に前記電圧検出部によって検出される前記電池の電圧が前記閾値以上となった場合でも、前記第１スイッチを導通状態に切り替え且つ前記第２スイッチを非導通状態に切り替える制御を継続することを特徴とする請求項１に記載の加熱調理器。
【請求項３】
複数のガスバーナと、
複数の前記ガスバーナへのガス供給の元となる共通のガス供給路と、
前記共通のガス供給路から分岐して各ガスバーナに続く分岐路と、
を備え、
前記降圧回路及び前記主電力路から駆動電流が供給される前記駆動対象負荷として、前記分岐路に設けられるとともに駆動軸の回転角度に応じて前記分岐路の開度を設定するモータを有することを特徴とする請求項１又は請求項２に記載の加熱調理器。
【請求項４】
複数のガスバーナと、
複数の前記ガスバーナへのガス供給の元となる共通のガス供給路と、
前記共通のガス供給路から分岐して各ガスバーナに続く複数の分岐路と、
を備え、
前記降圧回路及び前記主電力路から駆動電流が供給される前記駆動対象負荷として、
複数の前記分岐路にそれぞれ設けられ、駆動軸の回転角度に応じて前記分岐路の開度を設定する複数のモータと、
少なくとも前記共通のガス供給路に配置され、当該共通のガス供給路の開閉を切り替える元電磁弁と、
が設けられていることを特徴とする請求項１又は請求項２に記載の加熱調理器。
【手続補正２】
【補正対象書類名】明細書
【補正対象項目名】０００９
【補正方法】変更
【補正の内容】
【０００９】
請求項３の発明は、複数のガスバーナと、複数のガスバーナへのガス供給の元となる共通のガス供給路と、共通のガス供給路から分岐して各ガスバーナに続く分岐路と、を備え、降圧回路及び主電力路から駆動電流が供給される駆動対象負荷として、分岐路に設けられるとともに駆動軸の回転角度に応じて分岐路の開度を設定するモータを有する。
請求項４の発明は、複数のガスバーナと、複数のガスバーナへのガス供給の元となる共通のガス供給路と、共通のガス供給路から分岐して各ガスバーナに続く複数の分岐路と、を備えており、降圧回路及び主電力路から駆動電流が供給される駆動対象負荷として、複数の分岐路にそれぞれ設けられ、駆動軸の回転角度に応じて分岐路の開度を設定する複数のモータと、少なくとも共通のガス供給路に配置され、当該共通のガス供給路の開閉を切り替える元電磁弁と、が設けられている。
このように複数のモータ及び元電磁弁が設けられる構成は電力消費が大きくなりやすく、電池寿命がより問題になるため、このような構成のものに対して本発明の特徴を適用すればより一層有用である。また、この構成では、電池電圧が相対的に低くなった場合、複数のモータ及び元電磁弁に対する駆動電圧の供給元を一斉に切り替えることができ、電池寿命を延ばしつつこれら全ての駆動部を安定的に動作させ得る構成を、複雑な構成や制御を伴うことなく実現できる。
【手続補正書】
【提出日】平成28年2月4日(2016.2.4)
【手続補正１】
【補正対象書類名】特許請求の範囲
【補正対象項目名】請求項３
【補正方法】変更
【補正の内容】
【請求項３】
前記出力変化期間に前記無効電力出力部から出力される無効電力の変化部分の波形は、方形波に一次遅れ伝達関数を適用することによって生成される波形である、請求項１に記載の無効電力補償装置。
【手続補正２】
【補正対象書類名】特許請求の範囲
【補正対象項目名】請求項５
【補正方法】変更
【補正の内容】
【請求項５】
複数の前記出力変化期間に前記無効電力出力部から出力される無効電力の変化部分の波形は、三角波、および方形波に一次遅れ伝達関数を適用することによって生成される波形のうち少なくとも一方を含む、請求項４に記載の無効電力補償装置。
【手続補正３】
【補正対象書類名】特許請求の範囲
【補正対象項目名】請求項１１
【補正方法】変更
【補正の内容】
【請求項１１】
前記出力変化期間に前記第１の無効電力出力部から出力される無効電力の変化部分の波形は、方形波に一次遅れ伝達関数を適用することによって生成される波形である、請求項６〜９のいずれか１項に記載の無効電力補償システム。
【手続補正４】
【補正対象書類名】特許請求の範囲
【補正対象項目名】請求項１３
【補正方法】変更
【補正の内容】
【請求項１３】
複数の前記出力変化期間に前記第１の無効電力出力部から出力される無効電力の変化部分の波形は、三角波、および方形波に一次遅れ伝達関数を適用することによって生成される波形のうち少なくとも一方を含む、請求項１２に記載の無効電力補償システム。
【手続補正５】
【補正対象書類名】明細書
【補正対象項目名】００４４
【補正方法】変更
【補正の内容】
【００４４】
図７は、実施の形態３による無効電力補償装置において、Ｚｓ測定モード時に電力系統に注入される微小な無効電力ΔＱの生成方法について説明するための図である。図７を参照して、実施の形態３の場合には、図２のΔＱ注入制御部２５から出力される指令値ΔＱは、方形波生成部５１から出力された方形波に対して一次遅れ要素部５２による一次遅れ伝達関数（１／（１＋Ｔ・ｓ）、ただしＴは遅れ時間）が適用されたものである。
【手続補正６】
【補正対象書類名】明細書
【補正対象項目名】００５１
【補正方法】変更
【補正の内容】
【００５１】
図４に示す実施の形態１の場合には、１回の出力変化期間しか設けられていなかったので、たとえば、時刻ｔ０の直前に外的要因によって系統電圧が変化し、この系統電圧の変化が出力変化期間持続した場合には、外的要因による系統電圧の変化を、算出される複数の系統インピーダンスのばらつきとして検知することができなかった。これに対して実施の形態４の場合には、Ｚｓ測定モード時に複数の出力変化期間を設けることによって、外的要因により系統電圧が変化する場合をより正確に検知し、結果として、より精度良く系統インピーダンスを検出できる。
【手続補正７】
【補正対象書類名】明細書
【補正対象項目名】００５５
【補正方法】変更
【補正の内容】
【００５５】
他の無効電力補償装置３０は、電圧検出部３５と、無効電力出力部３２と、無効電力出力制御部３１と、出力制限指令部３４と、無効電力補償装置１０と通信可能な通信装置３３とを含む。この明細書では、上記の無効電力出力制御部３１および出力制限指令部３４をまとめて制御部３９と称する。制御部３９は、プロセッサおよびメモリなどを含むコンピュータによって構成してもよいし、専用の電子回路によって構成してもよい。もしくは、制御部３９の一部をコンピュータによって構成し、残りを専用の電子回路によって構成するようにしてもよい。
【手続補正８】
【補正対象書類名】明細書
【補正対象項目名】００６７
【補正方法】変更
【補正の内容】
【００６７】
さらに、出力制限指令部３４は、無効電力補償装置１０の動作モードがＺｓ測定モードである期間に相当する所定期間（出力制限期間とも称する）が経過したことが計時部３７から通知されると（ステップＳ２１５でＹＥＳ）、無効電力出力の変更の制限を解除する指令３８を無効電力出力制御部３１に与える（ステップＳ２２０）。この結果、検出された系統電圧Ｖｏに応じた無効電力Ｑｏが無効電力出力部３２から電力系統１００に注入されるようになる。
【手続補正９】
【補正対象書類名】明細書
【補正対象項目名】００７３
【補正方法】変更
【補正の内容】
【００７３】
＜実施の形態５〜７の変形例＞
実施の形態５〜７のいずれの場合にも、実施の形態２〜４の各々を組み合わせることができる。すなわち、Ｚｓ測定モード時に電力系統１００に注入される微小無効電力ΔＱの波形は、方形波であってもよいし、三角波であってもよいし、もしくは、方形波に一次遅れ伝達関数を適用して生成される波形であってもよい。さらにＺｓ測定モード時に複数の出力変化期間を設けてもよい。複数の出力変化期間を設けた場合も、各出力変化期間における微小無効電力ΔＱの波形は、方形波であってもよいし、三角波であってもよいし、もしくは、方形波に一次遅れ伝達関数を適用して生成される波形であってもよい。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
入力端子に入力された入力電圧を、所定の設定電圧に昇圧又は降圧変換して出力端子から出力電圧として出力するスイッチングレギュレータの制御回路であって、
昇降圧スイッチングレギュレータは、昇降圧スイッチングを行わずに前記出力端子に前記入力電圧をそのままバイパスして、前記昇降圧スイッチングレギュレータの消費電流を削減するバイパスモードと、昇降圧スイッチングを行う昇降圧スイッチングモードとの動作モードを有する昇降圧出力部を備え、
前記スイッチングレギュレータの制御回路は、
前記出力電圧が前記設定電圧になるように昇圧又は降圧制御を行い、前記昇降圧出力部の各制御信号を生成する昇降圧制御部と、
前記昇降圧スイッチングモードと前記バイパスモードとを選択的に設定するためのモード選択信号を入力するモード選択端子とを備え、
（Ａ）前記モード選択信号に基づいて前記昇降圧スイッチングモードに設定されたときは、前記昇降圧制御部は、前記出力電圧が前記設定電圧になるように昇降圧スイッチングを行うように前記昇降圧出力部を制御し、
（Ｂ）前記モード選択信号に基づいて前記バイパスモードに設定されたときは、前記昇降圧制御部は、前記昇降圧スイッチングを行わずに前記出力端子に前記入力電圧をそのままバイパスして出力するように前記昇降圧出力部を制御することを特徴とするスイッチングレギュレータの制御回路。
【請求項２】
前記昇降圧出力部は、前記入力端子とインダクタの入力端との間に接続される降圧スイッチと、前記インダクタの入力端と接地端子との間に接続される降圧整流スイッチと、前記インダクタの出力端と前記接地端子との間に接続される昇圧スイッチと、前記インダクタの出力端と前記出力端子との間に接続される昇圧整流スイッチとを含み、
前記昇降圧制御部は、前記昇降圧スイッチングモードにおいて、前記出力電圧が前記設定電圧になるように昇圧又は降圧制御を行って前記昇降圧出力部をオン／オフする制御信号を生成し、前記昇降圧出力部は当該制御信号に基づいて動作し、
前記昇降圧制御部は、前記バイパスモードにおいて、前記降圧スイッチと前記昇圧整流スイッチとをオンとし、前記接地端子に接続される前記降圧整流スイッチと前記昇圧スイッチとをオフとなる制御信号を生成し、これにより、前記入力電圧を前記入力端子から前記降圧スイッチと前記インダクタと前記昇圧整流スイッチとを介して前記出力端子にバイパス出力させることを特徴とする請求項１記載のスイッチングレギュレータの制御回路。
【請求項３】
前記バイパスモードにおいて、前記昇降圧制御部は、前記昇降圧制御部の前記出力電圧を前記設定電圧に制御する回路をオフにして、前記昇降圧スイッチングレギュレータの信号又は温度の異常状態を検出し保護する回路のいずれか、もしくは全てをオンするだけの制御を行うことを特徴とする請求項２記載のスイッチングレギュレータの制御回路。
【請求項４】
前記スイッチングレギュレータの信号又は温度の異常状態を検出し保護する回路は、サーマルシャットダウン回路、低電圧誤動作防止回路、出力短絡検出回路、電流制限回路を含むことを特徴とする請求項３記載のスイッチングレギュレータの制御回路。
【請求項５】
前記スイッチングレギュレータは、
サーマルシャットダウン回路、低電圧誤動作防止回路、出力短絡検出回路の合計消費電流よりも少ない消費電流で動作する、前記出力端子に流れる負荷電流の大きさを検出する負荷検出回路をさらに備え、
前記バイパスモードにおいて、前記昇降圧制御部は、前記昇降圧制御部の前記出力電圧を前記設定電圧に制御する回路と、前記サーマルシャットダウン回路、前記低電圧誤動作防止回路、前記出力短絡検出回路の各保護機能の全てをオフにするとともに、前記負荷検出回路だけをオンにして、所定の負荷電流が流れたことを前記負荷検出回路で検知した時に、前記サーマルシャットダウン回路、前記低電圧誤動作防止回路、前記出力短絡検出回路をオンさせて、前記バイパスモードでの各保護機能を起動するように制御し、前記負荷検出回路が検知するまでは、前記負荷検出回路のみを動作させることを特徴とする請求項１〜４のうちのいずれか１つに記載のスイッチングレギュレータの制御回路。
【請求項６】
前記スイッチングレギュレータの起動期間中は、前記昇降圧制御部は、前記モード選択信号に係わらず前記昇降圧スイッチングモードに設定して起動し、その後、前記モード選択信号で設定されるモードに変更することを特徴とする請求項１〜５のうちのいずれか１つに記載のスイッチングレギュレータの制御回路。
【請求項７】
前記バイパスモードにおいて前記出力端子が短絡されたときであって、出力短絡検出回路が短絡検出を行ったとき、前記昇降圧出力部をオフさせて前記入力端子から前記出力端子までのバイパス経路を遮断して短絡電流を制限し、前記出力端子の短絡要因が解除された後に復帰できるように、前記出力端子に接続される出力容量へ充電する充電回路をさらに備え、
前記充電回路は前記バイパスモードにおいて、又は前記バイパスモードの出力短絡期間中に動作できるように制御されることを特徴とする請求項１〜６のうちのいずれか１つに記載のスイッチングレギュレータの制御回路。
【請求項８】
前記モード選択信号が前記バイパスモードから前記昇降圧スイッチングモードに変更することを示すとき、前記昇降圧制御部は、所定期間、前記昇降圧出力部の各制御信号を前記バイパスモードを保持させて、前記昇降圧出力部を前記バイパスモードで動作させ、前記昇降圧制御部の前記出力電圧を前記設定電圧に制御する回路を前記昇降圧スイッチングモードに変更して回路の動作点に復帰させ、その後、前記昇降圧出力部の各制御信号も前記昇降圧スイッチングモードに変更して、前記昇降圧スイッチングレギュレータ全体を前記昇降圧スイッチングモードに変更することを特徴とする請求項１〜７のうちのいずれか１つに記載のスイッチングレギュレータの制御回路。
【請求項９】
請求項１〜８のうちのいずれか１つに記載のスイッチングレギュレータの制御回路を備えたことを特徴とするスイッチングレギュレータ。
【手続補正２】
【補正対象書類名】明細書
【補正対象項目名】発明の名称
【補正方法】変更
【補正の内容】
【発明の名称】スイッチングレギュレータの制御回路及びスイッチングレギュレータ
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
掃除機本体と、
前記掃除機本体と一体に取り付けられる吸口体と、を備え、
前記吸口体は、
ケースと、
下面に形成される回転清掃体収納室と、
前記回転清掃体収納室に回転可能に配置される回転清掃体と、
前記回転清掃体を駆動させる電動機と、を備え、
前記回転清掃体は、
筒状の基体の外周面から外方に突出する刷毛である清掃刷毛と、
前記清掃刷毛の両端に設けられ、前記清掃刷毛よりも密な刷毛である筒状刷毛と、を有する
ことを特徴とする電気掃除機。
【請求項２】
ハンドルと吸口体との間に、電動送風機とダストケースとを備える電気掃除機において、
前記吸口体は、電動機を備え、
該電動機は、当該電気掃除機を操作するための力を低減する駆動力を与える
ことを特徴とする電気掃除機。
【請求項３】
前記吸口体は、回転清掃体を備え、
前記電動機は、該回転清掃体を駆動し、
該回転清掃体の下面は当該吸口体における最下部に位置する
ことを特徴とする請求項２に記載の電気掃除機。
【請求項４】
前記吸口体は、
下面に形成される回転清掃体収納室と、
前記回転清掃体収納室に回転可能に配置される回転清掃体と、
前記回転清掃体を駆動させる電動機と、を備え、
前記回転清掃体は、
筒状の基体の外周面から外方に突出する刷毛である清掃刷毛と、
前記清掃刷毛よりも密な刷毛である筒状刷毛と、を有する
ことを特徴とする請求項２または請求項３に記載の電気掃除機。
【請求項５】
前記回転清掃体収納室の天面は、
前記筒状刷毛と対応する天面の領域を含んで設けられている刷毛逃げ部と、
前記回転清掃体収納室の長手方向中央部に設けられている収納室天面と、を有し、
前記収納室天面は、前記刷毛逃げ部よりも低く形成される
ことを特徴とする請求項１または請求項４のいずれか１項に記載の電気掃除機。
【請求項６】
前記回転清掃体収納室の背面側壁面から該回転清掃体収納室の前記収納室天面に、リブを有し、
該リブは、正面側ほど前記回転清掃体収納室の長手方向中央部に向かうように、斜めに設けられている
ことを特徴とする請求項５に記載の電気掃除機。
【請求項７】
前記刷毛逃げ部は、
前記吸口体の下面側から見て、背面側よりも正面側の方が広い
ことを特徴とする請求項６に記載の電気掃除機。
【請求項８】
前記吸口体の下面には、
前記回転清掃体よりも正面側で、前記回転清掃体収納室の長手方向に離れて配置される２つの車輪と、
前記回転清掃体よりも背面側で、前記回転清掃体収納室の長手方向中央に配置される後方車輪と、を有する
ことを特徴とする請求項１、請求項４乃至請求項７のいずれか１項に記載の電気掃除機。
【請求項９】
前記吸口体における最下面と、前記吸口体を構成するケースにおける最下面とのギャップは、２ｍｍ以上である
ことを特徴とする請求項１乃至請求項８のいずれか１項に記載の電気掃除機。
【請求項１０】
前記電動機は、前記回転清掃体にＪＩＳ  Ｃ  ９１０８に規定された絨毯と接触し、軸トルク３０ｍＮ・ｍ以上で、かつ、ブラシ回転速度が３０００ｒｐｍ以下となる駆動力を与える
ことを特徴とする請求項１、請求項３乃至請求項８のいずれか１項に記載の電気掃除機。
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
複数の図柄列上にある複数種類の図柄を移動させて表示する図柄表示ゲームで役抽選を行って、各々の図柄列に対応して設けられた停止手段が、役抽選で内部当選した押し順役に応じた操作順序で操作されると、対応する図柄列を個々に停止させて、押し順役を構成する特定役を入賞させることが可能な遊技機において、
アシスト遊技の状態にある図柄表示ゲーム中に押し順役が内部当選すると、該押し順役に応じた操作順序を報知することが可能な報知手段と、
前記アシスト遊技の進行を制御するアシスト制御手段と、
前記アシスト遊技でアシスト機能を発動させる為の第一アシスト値と、
該第一アシスト値を変更する為の特別ゲームと、
操作手段の操作によって、前記特別ゲームを行うか否かを選択する選択手段と、
前記選択手段が選択している状態を表示する表示手段と、
前記特別ゲームを行った場合に、抽選によって前記第一アシスト値よりも増加又は減少させた第二アシスト値に変更することが可能な変更手段と、
前記変更手段が増加させた第二アシスト値と閾値とを比較して、所定条件を満足するか否かを判断する判断手段と、
前記所定条件が満足したことを契機に、前記第二アシスト値よりも増加させた第三アシスト値に変更する増加手段と、
を具備し、
前記アシスト制御手段は、前記第一アシスト値、前記第二アシスト値又は第三アシスト値の何れか一つを用いてアシスト遊技の進行を制御すること、
を特徴とする遊技機。
【手続補正２】
【補正対象書類名】明細書
【補正対象項目名】００２１
【補正方法】変更
【補正の内容】
【００２１】
請求項１に係る本発明の遊技機は、上記の目的を達成する為に、複数の図柄列上にある複数種類の図柄を移動させて表示する図柄表示ゲームで役抽選を行って、各々の図柄列に対応して設けられた停止手段が、役抽選で内部当選した押し順役に応じた操作順序で操作されると、対応する図柄列を個々に停止させて、押し順役を構成する特定役を入賞させることが可能な遊技機において、アシスト遊技の状態にある図柄表示ゲーム中に押し順役が内部当選すると、該押し順役に応じた操作順序を報知することが可能な報知手段と、前記アシスト遊技の進行を制御するアシスト制御手段と、前記アシスト遊技でアシスト機能を発動させる為の第一アシスト値と、該第一アシスト値を変更する為の特別ゲームと、操作手段の操作によって、前記特別ゲームを行うか否かを選択する選択手段と、前記選択手段が選択している状態を表示する表示手段と、前記特別ゲームを行った場合に、抽選によって前記第一アシスト値よりも増加又は減少させた第二アシスト値に変更することが可能な変更手段と、前記変更手段が増加させた第二アシスト値と閾値とを比較して、所定条件を満足するか否かを判断する判断手段と、前記所定条件が満足したことを契機に、前記第二アシスト値よりも増加させた第三アシスト値に変更する増加手段と、を具備し、前記アシスト制御手段は、前記第一アシスト値、前記第二アシスト値又は第三アシスト値の何れか一つを用いてアシスト遊技の進行を制御することを特徴とする。
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
複数の図柄列上にある複数種類の図柄を移動させて表示する図柄表示ゲームを行う遊技機において、
前記図柄表示ゲームで役の抽選を行う役抽選手段と、
アシスト遊技の状態において、前記役の抽選で内部当選した押し順役に応じた操作順序を報知する報知手段と、
各々の図柄列に対応して設けられた停止手段が、前記操作順序で操作されると、対応する図柄列を停止させて、前記押し順役を構成する特定役を入賞させる図柄列制御手段と、
前記アシスト遊技中にアシスト機能を発動させる発動手段と、
前記アシスト機能を発動させる為のアシスト値を増加させる複数の上乗せ遊技区域と、
前記複数の上乗せ遊技区域の何れかへ移行させる為の抽選を行う移行抽選手段と、
前記複数の上乗せ遊技区域の内、移行した全ての上乗せ遊技区域を記憶する記憶手段と、
前記アシスト値を増加させる特別上乗せ遊技区域へ移行させる特別移行手段と、
を具備し、
前記複数の上乗せ遊技区域は、増加するアシスト値の期待値が互いに異なるように設定されており、
前記特別移行手段は、前記アシスト遊技を開始してから該遊技の終了条件が成立するまでに、前記移行抽選手段が前記複数の上乗せ遊技区域を全て当選させたことを条件に、前記特別上乗せ遊技区域へ移行させること、
を特徴とする遊技機。
【手続補正２】
【補正対象書類名】明細書
【補正対象項目名】００２１
【補正方法】変更
【補正の内容】
【００２１】
請求項１に係る本発明の遊技機は、上記の目的を達成する為に、複数の図柄列上にある複数種類の図柄を移動させて表示する図柄表示ゲームを行う遊技機において、前記図柄表示ゲームで役の抽選を行う役抽選手段と、アシスト遊技の状態において、前記役の抽選で内部当選した押し順役に応じた操作順序を報知する報知手段と、各々の図柄列に対応して設けられた停止手段が、前記操作順序で操作されると、対応する図柄列を停止させて、前記押し順役を構成する特定役を入賞させる図柄列制御手段と、前記アシスト遊技中にアシスト機能を発動させる発動手段と、前記アシスト機能を発動させる為のアシスト値を増加させる複数の上乗せ遊技区域と、前記複数の上乗せ遊技区域の何れかへ移行させる為の抽選を行う移行抽選手段と、前記複数の上乗せ遊技区域の内、移行した全ての上乗せ遊技区域を記憶する記憶手段と、前記アシスト値を増加させる特別上乗せ遊技区域へ移行させる特別移行手段と、を具備し、前記複数の上乗せ遊技区域は、増加するアシスト値の期待値が互いに異なるように設定されており、前記特別移行手段は、前記アシスト遊技を開始してから該遊技の終了条件が成立するまでに、前記移行抽選手段が前記複数の上乗せ遊技区域を全て当選させたことを条件に、前記特別上乗せ遊技区域へ移行させることを特徴とする。
【手続補正書】
【提出日】平成28年6月1日(2016.6.1)
【手続補正１】
【補正対象書類名】明細書
【補正対象項目名】００２５
【補正方法】変更
【補正の内容】
【００２５】
本実施形態の管の製造装置において、図１に示すように、管Ｐは、図示しない支持台に支持され、回転駆動部１１により矢印方向に回転可能に支持されている。管Ｐの上方にレーザ溶接ヘッド１２が配置されており、レーザ溶接ヘッド１２は、光学系１３とガスノズル１４を有している。また、レーザ溶接ヘッド１２は、光ファイバ１５を介してレーザ発振器１６が連結されている。
【手続補正２】
【補正対象書類名】明細書
【補正対象項目名】００２７
【補正方法】変更
【補正の内容】
【００２７】
センサ２１は、管Ｐの回転速度及び回転位置を検出するものであり、制御装置２２は、センサ２１が検出した管Ｐの回転速度及び回転位置に基づいて回転駆動部１１、レーザ発振器１６、シールドガス供給部１８を制御する。
【手続補正３】
【補正対象書類名】明細書
【補正対象項目名】００６０
【補正方法】変更
【補正の内容】
【００６０】
１００  第１の管本体
１０１  第１孔（外周孔）
１０２  第２孔（中心孔）
１０３  嵌合孔
１０４  端面
１０５  凸部
２００  第２の管本体
２０１  第１孔（外周孔）
２０２  第２孔（中心孔）
２０３  嵌合孔
２０４  端面
２０５  凹部
３００  接続ピン
３０１  第１挿入部
３０２  第２挿入部
３０３  嵌合部
Ｐ  管